(57)【要約】【課題】防水性を損なうことなく、筐体を建物に固定することができる固定部材を提供する。【解決手段】前面に開口７１０が形成されたボディ７１と、開口７１０を覆うカバー７２とを備える筐体７０を建物５に固定する固定部材１であって、第１の固定部２１と第２の固定部３１と連結片１１とを備える。第１の固定部２１は、建物５に固定される。第２の固定部３１は、開口７１０より外側に形成されカバー７２の背後に位置する取付け片７１６に、固定ネジ４１（第１のネジ）で固定される。連結片１１は、ボディ７１の上壁（外側面）に沿って形成され、第１の固定部２１と第２の固定部３１とを連結させる。【選択図】図１
2015132341.tif 000002
【特許請求の範囲】
【請求項１】
前面に開口が形成されたボディと、前記開口を覆うカバーとを備える筐体を建物に固定する固定部材であって、
前記建物に固定される第１の固定部と、
前記開口より外側に形成され前記カバーの背後に位置する取付け片に、第１のネジで固定される第２の固定部と、
前記ボディの外側面に沿って形成され、前記第１の固定部と前記第２の固定部とを連結させる連結片とを備える
ことを特徴とする固定部材。
【請求項２】
前記ボディは、前記開口の縁から外側に向かって形成され前記取付け片が連続する鍔部と、前記鍔部の後方に対向する壁部と、前記鍔部と前記壁部とを連続させる底部とで囲まれて構成される溝を備え、
前記カバーは、周部が前記鍔部の前面に重なった状態で前記鍔部に固定される
ことを特徴とする請求項１記載の固定部材。
【請求項３】
前記第２の固定部は、
前記壁部に接触する第１の片と、
前記取付け片に接触した状態で固定される第２の片と、
前記第１の片と前記第２の片とを連続させる第３の片とで構成される
ことを特徴とする請求項２記載の固定部材。
【請求項４】
前記連結片は、一部が重なり合う第１の分割片と第２の分割片とに分割されており、
前記第１の分割片と前記第２の分割片との一方に形成された第１の孔と、他方に形成された第２の孔とに通される第２のネジによって前記第１の分割片と前記第２の分割片とが連結され、
前記第１の孔は、前後方向を長手方向とするスリット状に形成されており、前記第１の孔の範囲内で前記連結片が前後方向に伸縮可能である
ことを特徴とする請求項１乃至３のうちいずれか１項に記載の固定部材。
【発明の詳細な説明】
【技術分野】
【０００１】
本発明は、筐体を建物に固定する固定部材に関するものである。
【背景技術】
【０００２】
従来、屋外に設置される自立型の設備機器がある（例えば、特許文献１参照）。特許文献１に記載の燃料電池システムは、燃料電池ユニットと貯湯ユニットで構成されており、燃料電池ユニットおよび貯湯ユニットの各筐体は、鉛直方向が最も長い直方体に形成されている。
【先行技術文献】
【特許文献】
【０００３】
【特許文献１】特開２０１２−５４１２７号公報
【発明の概要】
【発明が解決しようとする課題】
【０００４】
この種の自立型の設備機器において、筐体内の防水性を確保し、かつ地震などの外的荷重よる筐体の転倒を防止する必要がある。しかし、筐体の転倒を防止するために、筐体と建物とを固定する固定金具を、筐体に孔を開けてネジ止めした場合、筐体に形成された孔から水が浸入するおそれがあり、防水性が低減するという問題があった。
【０００５】
本発明は、上記事由に鑑みてなされたものであり、その目的は、防水性を損なうことなく、筐体を建物に固定することができる固定部材を提供することにある。
【課題を解決するための手段】
【０００６】
本発明の固定部材は、前面に開口が形成されたボディと、前記開口を覆うカバーとを備える筐体を建物に固定する固定部材であって、前記建物に固定される第１の固定部と、前記開口より外側に形成され前記カバーの背後に位置する取付け片に、第１のネジで固定される第２の固定部と、前記ボディの外側面に沿って形成され、前記第１の固定部と前記第２の固定部とを連結させる連結片とを備えることを特徴とする。
【０００７】
この固定部材において、前記ボディは、前記開口の縁から外側に向かって形成され前記取付け片が連続する鍔部と、前記鍔部の後方に対向する壁部と、前記鍔部と前記壁部とを連続させる底部とで囲まれて構成される溝を備え、前記カバーは、周部が前記鍔部の前面に重なった状態で前記鍔部に固定されることが好ましい。
【０００８】
この固定部材において、前記第２の固定部は、前記壁部に接触する第１の片と、前記取付け片に接触した状態で固定される第２の片と、前記第１の片と前記第２の片とを連続させる第３の片とで構成されることが好ましい。
【０００９】
この固定部材において、前記連結片は、一部が重なり合う第１の分割片と第２の分割片とに分割されており、前記第１の分割片と前記第２の分割片との一方に形成された第１の孔と、他方に形成された第２の孔とに通される第２のネジによって前記第１の分割片と前記第２の分割片とが連結され、前記第１の孔は、前後方向を長手方向とするスリット状に形成されており、前記第１の孔の範囲内で前記連結片が前後方向に伸縮可能であることが好ましい。
【発明の効果】
【００１０】
以上説明したように、本発明では、ボディの開口の外側に形成された取付け片に固定部材をネジ止めしているので、防水性を損なうことなく、筐体を建物に固定することができるという効果がある。
【図面の簡単な説明】
【００１１】
【図１】実施形態の要部を示す断面図である。
【図２】実施形態の要部を示す正面図である。
【図３】実施形態の要部を示す分解斜視図である。
【図４】（ａ）実施形態における電力変換装置の正面図である。（ｂ）実施形態における電力変換装置の側面図である。
【図５】実施形態における電力変換装置のカバーを取り外した状態を示す正面図である。
【発明を実施するための形態】
【００１２】
以下、本発明の実施の形態を図面に基づいて説明する。
【００１３】
（実施形態）
本実施形態では、図４（ａ）図４（ｂ）に示すように、屋外に設置される電力変換装置６の筐体７０，８０を固定部材１により建物５に固定する場合を例示する。電力変換装置６は、太陽電池、蓄電池などの外部電源が出力する直流電力を交流電力に変換して、商用電源系統と連系させる系統出力または負荷を自立運転させる自立出力に出力する。なお、固定部材１による固定対象を電力変換装置６に限定する趣旨ではない。
【００１４】
図４（ａ）に電力変換装置６の外観正面図、図４（ｂ）に電力変換装置６の外観側面図を示し、図５にカバー７２，８２を取り外した状態における電力変換装置６の正面図を示す。なお、図４（ａ）における上下左右を上下左右方向、上下左右に直交する図の手前方向を前方向、上下左右に直交する図の奥方向を後方向と規定して、以下説明する。
【００１５】
電力変換装置６は、地面に設置されるベース８と、ベース８の上に載せられた本体７とで構成されている。
【００１６】
本体７の筐体７０は、金属製の板材が曲げ加工されることで形成されており、前面に矩形状の開口７１０が形成された矩形箱状のボディ７１と、開口７１０を覆うカバー７２とで構成されている。また、ボディ７１は、開口７１０の縁から外側に向かって形成された鍔部７１３と、鍔部７１３の後方に対向する壁部７１１と、鍔部７１３と壁部７１１とを連続させる底部７１２とで構成される溝７１５を備えている（図１，２参照）。溝７１５は、開口７１０を囲むように全周にわたって形成されており、カバー７２は、周部が鍔部７１３の前面に重なった状態で鍔部７１３に固定される。具体的には、カバー７２にはネジ７３が通される孔７２１（図３参照）が形成され、鍔部７１３にはネジ７３を受ける孔７１４が形成されている。そして、ネジ７３が孔７２１を介して孔７１４に結合されることで、カバー７２が開口７１０を覆うようにボディ７１に取り付けられる。また、鍔部７１３の前面とカバー７２の後面との間には防水パッキン７４が設けられており、カバー７２と鍔部７１３との隙間からボディ７１の内部に水が浸入することを防止している。また、溝７１５は水切り溝として機能し、カバー７２とボディ７１との隙間から侵入した水を受けて外部に排出することができる。
【００１７】
また、矩形枠状に形成された鍔部７１３の上辺において、左右方向の中央部から上方向に突出した取付け片７１６が形成されている。取付け片７１６の左右両端近傍には、ネジが通される孔７１７が形成されており、後述する固定部材１が固定ネジ４１（第１のネジ）で固定される。
【００１８】
ベース８の筐体８０は、金属製の板材が曲げ加工されることで形成されており、前面に矩形状の開口８１０が形成された矩形箱状のボディ８１と、開口８１０を覆うカバー８２とで構成されている。ベース８のボディ８１と本体７のボディ７１とは、ボルト（図示なし）で互いに固定されている。なお、ベース８のボディ８１およびカバー８２は、本体７のボディ７１およびカバー７２と同様の構成であるので詳細な説明は省略する。
【００１９】
そして、本体７の筐体７０内には、電力変換ユニット７５（図５参照）が収納されている。電力変換ユニット７５は、電力変換装置６の外部に設けられた太陽電池、蓄電池などの外部電源（図示なし）が接続され、直流電力を交流電力に変換する。そして、電力変換ユニット７５は、変換した交流電力を屋内に設置された分電盤のブレーカ（図示なし）または、ベース８に収納された切換えユニット８３に設けられたブレーカ８３１を介して負荷に供給する。さらに、電力変換ユニット７５は、太陽電池の発電電力および系統電源からの供給電力を用いて蓄電池を充電する機能および、太陽電池の発電電力を系統電源に逆潮流させて売電する機能も有する。
【００２０】
また、ベース８の筐体８０内には、切換えユニット８３と、トランス８４が収納されている。切換えユニット８３は、停電時において、ブレーカ８３１を介して接続された負荷に対して、太陽電池、蓄電池からの電力を供給する自立運転モードに切り替える機能を有する。トランス８４は、電力変換ユニット７５から供給される交流電圧を２線式から３線式に変換する。これにより、切換えユニット８３は、単相三線出力することができ、停電時において２００Ｖ対応の負荷を自立運転モードで駆動させることができる。
【００２１】
次に、上述した電力変換装置６を建物５に固定する固定部材１の構成について図１〜図３を用いて説明する。本実施形態の固定部材１は、金属製の板材で形成されており、建物５に固定される第１の固定部２１と、ボディに固定される第２の固定部３１と、第１の固定部２１と第２の固定部３１とを連結させる連結片１１とで構成される。また、連結片１１は、一部が重なり合う第１の分割片２２と第２の分割片３２とに分割されており、固定部材１は、第１の固定部２１と第１の分割片２２とを備える第１の金具２と、第２の固定部３１と第２の分割片３２とを備える第２の金具３とで構成される。
【００２２】
第２の金具３は、第２の分割片３２と第２の固定部３１と支持片３３とで構成され、本体７の筐体７０に固定される。
【００２３】
第２の分割片３２は、本体７のボディ７１の上壁に沿って矩形板状に形成されている。また、第２の分割片３２は、左右両端から後方向に突出した突出片３２１を備えており、この突出片３２１それぞれに第２の孔３２２が形成されている。この第２の孔３２２は、第１の分割片２２と第２の分割片３２とを連結する連結ネジ４２（第２のネジ）を受けるネジ孔である。
【００２４】
支持片３３は、第２の分割片３２の後端の中央部から下方向に突出し、ボディ７１の後壁に沿って矩形板状に形成されている。
【００２５】
第２の固定部３１は、第２の分割片３２の前端に連続し断面がＵ字状に形成されており、ボディ７１の溝７１５の内側に密着した状態で取付け片７１６に固定ネジ４１で固定される。第２の固定部３１は、第１の片３１１と第２の片３１２と第３の片３１３とで構成されている。第１の片３１１は、第２の分割片３２の前端から下方向に突出した矩形板状に形成され、後面がボディ７１の壁部７１１の前面と接触する。第２の片３１２は、矩形板状に形成されており、前面が取付け片７１６と接触する。第３の片３１３は、底部７１２と対向する矩形板状に形成されており、第１の片３１１の下端と第２の片３１２の下端とを連続させる。第２の片３１２の左右両端近傍には、固定ネジ４１を受ける孔３１４が形成されている。そして、取付け片７１６に形成された孔７１７を介して固定ネジ４１が孔３１４に結合されることで、第２の固定部３１が溝７１５の内側に密着した状態でボディ７１に固定される。なお、取付け片７１６に形成された孔７１７の周囲は、後方に凹んだテーパ状に形成されており、孔７１７の周囲が第２の片３１２と接触する。また、取付け片７１６の孔７１７の周囲がテーパ状に形成されることによって、固定ネジ４１の頭部がカバー７２と干渉することを防止している。
【００２６】
第１の金具２は、Ｌ字状に形成されており、第１の固定部２１と第１の分割片２２とで構成され、建物５に固定される。
【００２７】
第１の固定部２１は、矩形板状に形成されており、固定ネジ４３が通される孔２１１が複数（図示例では３つ）形成されている。そして、固定ネジ４３が孔２１１を介して建物５の壁に結合されることで、第１の金具２が建物５に固定される。
【００２８】
第１の分割片２２は、第２の分割片３２の上に重ね合わされる矩形板状に形成されている。第１の分割片２２は、左右両端近傍に、前後方向を長手方向とするスリット状の第１の孔２２１が形成されており、この第１の孔２２１に連結ネジ４２が通される。そして、連結ネジ４２が第１の分割片２２に形成された第１の孔２２１を介して、第２の分割片３２に形成された第２の孔３２２に結合されることで、第１の分割片２２と第２の分割片３２、すなわち第１の金具２と第２の金具３とが連結される。
【００２９】
ここで、連結ネジ４２が通される第１の孔２２１は、前後方向を長手方向とするスリット状に形成されている。したがって、連結片１１は、第１の孔２２１の範囲内において、前後方向に伸縮することができ、第１の固定部２１と第２の固定部３１との距離を調節することができる。これにより、建物５と筐体７０との距離が異なる場合にも対応することができる。
【００３０】
そして、上述した固定部材１は、本体７のカバー７２が取り外された状態で、まず第２の金具３がボディ７１に固定ネジ４１で固定される。次に、第１の金具２と第２の金具３とが連結ネジ４２を用いて連結され、第１の金具２が固定ネジ４３で建物５に固定される。そして、ボディ７１にカバー７２が取り付けられる。これにより、固定部材１によって、本体７の筐体７０が建物５に固定される。また、本体７のボディ７１とベース８のボディ８１とは、ボルト（図示なし）で互いに固定されている。したがって、固定部材１によって、地面に設置された電力変換装置６が建物５の壁に固定され、電力変換装置６の転倒を防止することができる。
【００３１】
このように、本実施形態は、前面に開口７１０が形成されたボディ７１と、開口７１０を覆うカバー７２とを備える筐体７０を建物５に固定する固定部材１であって、第１の固定部２１と第２の固定部３１と連結片１１とを備える。第１の固定部２１は、建物５に固定される。第２の固定部３１は、開口７１０より外側に形成されカバー７２の背後に位置する取付け片７１６に、固定ネジ４１（第１のネジ）で固定される。連結片１１は、ボディ７１の上壁（外側面）に沿って形成され、第１の固定部２１と第２の固定部３１とを連結させる。
【００３２】
すなわち、本実施形態の固定部材１は、鍔部７１３に連続して形成された取付け片７１６に固定ネジ４１を用いてボディ７１に固定されている。取付け片７１６は、ボディ７１の開口７１０の外側に形成されており、取付け片７１６に形成された孔７１７を介して筐体７０の内部に水が浸入することを防止することができる。また、電力変換ユニット７５が配置された空間を構成するボディ７１の外壁に、固定部材１を固定するための孔を形成する必要がないので、防水性を損なうことがない。
【００３３】
また、カバー７２が取り付けられた状態では、カバー７２によって取付け片７１６および第２の固定部３１が露出しないので、外観を損なうことを防止することができる。
【００３４】
さらに、第２の固定部３１は、溝７１５の内側に密着するように形成されている。したがって、地震などによってボディ７１から固定部材１に外的荷重が掛かった際に、応力が固定ネジ４１による固定箇所だけでなく第１の片３１１および第２の片３１２にも分散されるので、固定部材１の耐荷重が向上する。さらに、本実施形態の固定部材１は、ボディ７１の後壁に沿って形成された支持片３３を備えており、支持片３３にも応力が分散されるので、固定部材１の耐荷重がさらに向上する。
【００３５】
また、固定部材１は、連結片１１がボディ７１の上壁に沿って形成され、第２の固定部３１が溝７１５の上から密着してはまり込むように形成されている。したがって、固定ネジ４１に緩みが発生した場合であっても、固定部材１が外れることが防止され、電力変換装置６の転倒を防止することができる。
【００３６】
なお、本実施形態の固定部材１は、連結片１１がボディ７１の上壁に沿うように設けられているが、ボディ７１の側壁に沿うように設けられていてもよい。
【００３７】
また、本実施形態では、連結片１１を伸縮可能にするために、第１の分割片２２にスリット状の第１の孔２２１が形成され、第２の分割片３２に連結ネジ４２を受ける第２の孔３２２が形成されている。しかし、第２の分割片３２にスリット状の孔（第１の孔）を形成し、第１の分割片２２に連結ネジ４２を受ける孔（第２の孔）を形成して、連結片１１が伸縮可能となるように構成してもよい。
【符号の説明】
【００３８】
１  固定部材
１１  連結片
２１  第１の固定部
２２  第１の分割片
３１  第２の固定部
３１１  第１の片
３１２  第２の片
３１３  第３の片
３２  第２の分割片
３３  支持片
４１  固定ネジ（第１のネジ）
４２  連結ネジ（第２のネジ）
５  建物
６  電力変換装置
７０  筐体
７１  ボディ
７２  カバー
【図１】
2015132341.tif 000003
【図２】
2015132341.tif 000004
【図３】
2015132341.tif 000005
【図４】
2015132341.tif 000006
【図５】
2015132341.tif 000007